(57)【特許請求の範囲】
【請求項１】
走行車に配置した運転席の後方位置に左右方向へ伸延する多条用の施肥装置を配設し、走行車後方に多条用の植付部を配置した乗用田植機において、前記植付部の左右両側の数条を分割して収納可能とし、前記施肥装置の左右両側の数条を分割し、回動して収納可能とし、植付部に肥料を搬送する施肥ホース１４６の一方を、取付ブラケット１４８によって着脱自在に施肥装置に係合し、該施肥ホース１４６の他端を植付部に配すると共に、
分割側の植付部の前部にホース収納支持ステー２００を設け、該ホース収納支持ステー２００により、使用位置に配置した施肥ホース１４６を案内し、
前記分割側の施肥ホースの基端側を支持する取付ブラケット１４８を取り外した場合には、該取付ブラケット１４８を前記ホース収納支持ステー２００を設けた収納支持体２０５に係止させることを特徴とする田植機の施肥ホース収納構成。
【請求項２】
請求項１記載の田植機の施肥ホース収納構成において、前記ホース収納支持ステー２００に平面視Ｃ型のホースガイド２０４を設け、施肥ホース１４６の途中部をガイドすることを特徴とする田植機の施肥ホース収納構成。
【請求項３】
請求項１記載の田植機の施肥ホース収納構成において、前記収納支持体２０５は側面視略Ｌ型に形成し、該収納支持体２０５で取付部材に固定した施肥ホース１４６の施肥装置側端部を密封した状態で保持することを特徴とする田植機の施肥ホース収納構成。
【請求項４】
請求項１記載の田植機の施肥ホース収納構成において、前記収納支持体２０５は側面視略Ｌ型に形成し、該収納支持体２０５で取付部材に固定した施肥ホース１４６の搬送エアのエア導入側端部を下方向きとし、密封した状態で保持することを特徴とする田植機の施肥ホース収納構成。
【発明の詳細な説明】
【０００１】
【発明の属する技術分野】
本発明は、８条や１０条等の多条植えと同時に施肥を行う田植機の施肥装置に関する。
【０００２】
【従来の技術】
従来から、乗用田植機の一形態として、施肥作業と苗の植付作業とを同時に行えるように、走行部の後上方に施肥装置を配設すると共に、走行部の後方に植付部を吊設していた。
そして、施肥装置と植付部は、それぞれ多数条、例えば１０条の施肥兼植付け作業も行えるようにしている。この場合、植付部の苗載台は中央側の６条分の固定側苗載台と左右両側の分割苗載台とに分割し、水平折畳み機構を固定側苗載台の左右側部と分割苗載台内端部との間に設け、分割苗載台を固定側苗載台と平行状に後方に折畳み、苗載台の左右全幅を６条幅内に縮小している。
また、植付ケースの左右最外側の２条分を爪ケース、フロート、苗取出板など関連部品と連結棒で一体に固設し、中央側の植付ケースに支持される別の連結棒と前記連結棒とを後方斜下方に傾斜させた枢支パイプで連結し、左右最外側の２条分の植付ケースやフロート等を枢支パイプを中心に後上方に折畳み自在に設けている。
また、施肥装置は、１０条分の施肥部を左右方向に配置して形成すると共に、中央部の６条分の施肥部は、走行部の後部に固定して固定側施肥部となし、該固定側施肥部の左右側方に、それぞれ２条分の施肥部を連結体を介して連結して可動側施肥部となっている。
しかも、各可動側施肥部は、それぞれ固定側施肥部の左右側方位置で、かつ、これと略同一直線上に配置した使用位置と、連結体を用いて固定側施肥部より前方へ折り曲げるように回動した収納位置との間で、位置変更自在としている。
【０００３】
【発明が解決しようとする課題】
しかし、上記の側条施肥装置を搭載した乗用田植機では、各側条施肥装置の施肥ユニットと植付部のフロートとの間に施肥ホースが介装され、肥料を圧送しており、左右外側の各２条分の可動側施肥装置と、植付部の外側に植付ケース等は収納位置に回動される構成となっており、施肥ホースを取り外す必要があった。  しかし、前記施肥ホースを取り外した後の取付け機構は特別に設けられておらず、その脱着作業も煩雑なものとなっていた。
また、移動走行時には取り外した施肥ホースを適切に保管する場所がなく、雨等によって施肥ホース内が湿めったり、ゴミや塵等の異物が混入すると肥料が詰まり易くなるものであった。その為に、施肥装置と植付部との収納時に施肥ホースを容易に取り外すことのでき、尚且つ適切に保管することのできる構成のものが望まれていた。
【０００４】
【課題を解決するための手段】
本発明の解決しようとする課題は以上の如くであり、次に該課題を解決するための手段を説明する。
請求項１においては、走行車に配置した運転席の後方位置に左右方向へ伸延する多条用の施肥装置を配設し、走行車後方に多条用の植付部を配置した乗用田植機において、前記植付部の左右両側の数条を分割して収納可能とし、前記施肥装置の左右両側の数条を分割し、回動して収納可能とし、植付部に肥料を搬送する施肥ホース１４６の一方を、取付ブラケット１４８によって着脱自在に施肥装置に係合し、該施肥ホース１４６の他端を植付部に配すると共に、分割側の植付部の前部にホース収納支持ステー２００を設け、該ホース収納支持ステー２００により、使用位置に配置した施肥ホース１４６を案内し、前記分割側の施肥ホースの基端側を支持する取付ブラケット１４８を取り外した場合には、該取付ブラケット１４８を前記ホース収納支持ステー２００を設けた収納支持体２０５に係止させるものである。
請求項２においては、請求項１記載の田植機の施肥ホース収納構成において、前記ホース収納支持ステー２００に平面視Ｃ型のホースガイド２０４を設け、施肥ホース１４６の途中部をガイドするものである。
請求項３においては、請求項１記載の田植機の施肥ホース収納構成において、前記収納支持体２０５は側面視略Ｌ型に形成し、該収納支持体２０５で取付部材に固定した施肥ホース１４６の施肥装置側端部を密封した状態で保持するものである。
請求項４においては、請求項１記載の田植機の施肥ホース収納構成において、前記収納支持体２０５は側面視略Ｌ型に形成し、該収納支持体２０５で取付部材に固定した施肥ホース１４６の搬送エアのエア導入側端部を下方向きとし、密封した状態で保持するものである。
【０００５】
【発明の実施の形態】
次に、本発明の実施の形態を説明する。
図１は苗載台の折畳み機構を備えた田植機の全体側面図、図２は同じく平面図、図３は植付ケース及びフロート等の折畳み状態を示す図、図４は施肥装置の後面図、図５は施肥装置の支持枠体を示す平面図、図６は収納状態とした施肥装置の左右片側の平面図部分断面図、図７は本発明のホース収納支持ステーを配した分割側の植付ケースの側面図、図８はホース収納支持ステーの側面図、図９は同じく正面図、図１０は施肥ホースを収納した分割側の植付ケースを後方に折り畳んだ状態の側面図、図１１は施肥ユニットの側面断面図、図１２は施肥ホースのエアタンクへの取付け構成を示す側面図一部断面図、図１３は同じく斜視図、図１４はステーの後面図、図１５はエアタンクに施肥ホースを取り付けた状態を示す側面図、図１６は導入口の側面断面図、図１７は導入口の後面図である。
【０００６】
以下、本発明の実施例を図面に基づいて詳述する。
図１、図２に示す作業者が搭乗する走行車１のように、エンジン２を車体フレーム３前部上方に搭載させ、ミッションケース４前方にフロントアクスルケース５を介して走行用前輪６を支持させると共に、前記ミッションケース４の後部にリヤアクスルケース７を連設し  前記リヤアクスルケース７に走行用後輪８を支持させる。
そして、前記エンジン２等を覆うボンネット９両側に予備苗載台１０を取付けると共に、ステップ１１を介して作業者か搭乗する車体カバー１２によって前記ミッションケース４等を覆い、前記車体カバー１２上部に運転席１３を取付け、その運転席１３の前方で前記ボンネット９後部に操向ハンドル１４を設ける。
【０００７】
また、図中１５は１０条植え用の苗載台１６並びに複数の植付爪１７などを具備する植付部であり、前高後低の合成樹脂製の前傾式苗載台１６を下部レール１８及びガイドレール１９を介して、植付ケース２０に左右往復摺動自在に支持させる。
それと共に、一方向に等速回転させるロータリケース２１を前記植付ケース２０に支持させ、該ケース２１の回転軸芯を中心、に対称位置に一対の爪ケース２２・２２を配設し、その爪ケース２２・２２先端に植付爪１７・１７を取付ける。
また、前記植付ケース２０の前側にヒッチ台２３を設け、該ヒッチ台２３をヒッチ機構２４に連結させ、トップリンク２５及びロワーリンク２６を含むリンク機構２７後部にヒッチ機構２４を取付け、前記リンク機構２７を介して走行車１後部に連結させ、前記リンク機構２７を介して植付部１５を昇降させる昇降シリンダ２８をロワーリンク２６に連結させ、前記前後輪６・８を走行駆動して移動すると同時に、左右に往復摺動させる苗載台１６から一株分の苗を植付爪１７によって取出し、連続的に苗植え作業を行うように構成する。
【０００８】
また、図中２９は走行変速レバー、３０は植付昇降兼作業走行変速用副変速レバー、３１は植付け感度調節レバー、３２は主クラッチペダル、３３・３３は左右ブレーキペダル、３４は均平用センターフロート、３５は均平用サイドフロート、３６は１０条用の側条施肥部である。
【０００９】
前記苗載台１６及び植付ケース２０など、植付部１５の左右外側の２条分を機体内側に折畳み自在に設けるもので、前記苗載台１６は左右最外側の２条分の苗載台１６を分割して折畳み自在な分割苗載台１６ｂに形成し、機体中央の６条用の固定苗載台１６ａに並行折畳み機構３７を介して分割苗載台１６ｂを連結させて、固定苗載台１６ａの作用面上方に略平行で、且つ、２段に分割苗載台１６ｂを折畳みするように設けて、折畳み時苗載台１６の左右全幅を略６条分巾と等しくするように構成している。
【００１０】
図３にも示す如く、前記植付ケース２０の左右最外側の２条分を爪ケース２２、フロート３５、植付探さ調節軸、苗取出板など関連部品と一体に折畳み自在に設けている。
前記植付ケース２０間を連結する伝動パイプ４０と、調節軸及び苗取出板において、左右最外側の植付ケース２０とこの内側の植付ケース２０との略中央より若干外側でこれらパイプ４０ａ・４０ｂ・４０ｂ、調節軸、苗取出板などを固定側と分割側とに分割する。
固定側の中央６条分３つの植付ケース２０ａの後端間を、各ブラケット４１ａを介し支点フレーム４２で連結させ、分割側の左右外側各２条分１つの植付ケース２０ｂ後端にブラケット４１ｂを介し固設する回動フレーム４３と、前記支点フレーム４２とを回動支点軸４４を介し連結させている。
前記回動支点軸４４は、支点フレーム４２の左右両端の、苗載台１６の６条巾位置における左右外側の、各２つの植付ケース２０ａ・２０ｂ問の略中央に配置され、前高後低状に略４５度に傾斜状に設けられている。
固定側の中央６条分３つの植付ケース２０ａに対し、左右の各２条分１つの植付ケース２０ｂ・２０ｂを、回動支点軸４４を介し略１８０度内側に回動させて、中央固定側の植付ケース２０ａの後方で折畳みされた分割苗載台１６ｂより後方位置に分割側の植付ケース２０ｂを折畳みするように構成している。
【００１１】
また、各フロート３４・３５・・・には、作溝体８８・８８を取付け、各フロート３４・３５・・・が圃場面上を滑走する際に、各作溝体８８・８８により１０条の溝を形成して、各溝中に後述する側条施肥装置３６より圧送される肥料を落下させている。
【００１２】
また、前記運転席１３後方には１０条用の側条施肥装置３６が配設されている。該側条施肥装置３６は、図４、図５に示すように、車体フレーム３の後部に立設した支持機枠１３０上に載設し、該支持機枠１３０上に６条分の固定側施肥部１３１を固設している。該固定側施肥部１３１の左右側部にそれぞれ連結体１３２・１３２を介して左右一対の２条分の可動側施肥部１３３・１３３と、右側の可動側施肥部１３３の右側端部に取付けたブロワ１３４とを具備している。
【００１３】
そして、前記可動側施肥部１３３・１３３は、固定側施肥部１３１の左右側方位置で、かつ、これと略同一直線上に配置した使用位置と、図１、図６に示すように、前方へ折り返して固定側施肥部１３１と略平行状態に配置した可動側施肥部１３３・１３３の先端部が運転席１３後部の側方に位置する。
従って、収納状態となった側条施肥装置３６の可動側施肥部１３３・１３３とに干渉されることなく、作業者は運転席１３に搭乗したり降車することができる。
【００１４】
更に、収納状態となった側条施肥装置３６の左右幅は、走行車１の左右外側幅内に収まるようにしている。
従って、収納状態となった側条施肥装置３６に障害物を当接する前に走行車１の左右側面を当接し、側条施肥装置３６が保護される。
【００１５】
また、固定側施肥部１３１は、図４、図５に示すように、支持機枠１３０上に固定した支持枠体１３５と、同支持枠体１３５に支持させた６条分の施肥ユニット１３６と、各施肥ユニット１３６に施肥搬送用エアを送るエアタンク１３７とを具備している。
【００１６】
支持枠体１３５は、支持機枠１３０上に左右一対の支持板体１３８・１３８を立設し、両支持板１３８・１３８間に左右方向に伸延する３本の第１、第２、第３横フレーム１３９・１４０・１４１を貫通状態に横架して形成している。該第１、第２、第３横フレーム１３９・１４０・１４１の左右端部に、板状のエアタンク支持体１５１・１５１を固設している。
【００１７】
また、前記可動側施肥部１３３・１３３は、前記固定側施肥部１３１と基本的構成を同じくしており、固定側施肥部１３１のエアタンク支持体１５１外側側面に連結体１３２を介して連結した支持枠体１６０と、同支持枠体１６０に支持させた２条分の施肥ユニット１３６と、各施肥ユニット１３６・１３６・・・に施肥搬送用エアを送るエアタンク１６１とを具備している。
【００１８】
そして、支持枠体１６０は、図４、図５に示すように、内外側エアタンク支持体１６２・１６３間に左右方向に伸延する３本の第１、第２、第３横フレーム１６４・１６５・１６６を横架している。
【００１９】
前記可動側施肥部１３３・１３３と固定側施肥部１３１とを連結する前記連結体１３２について説明する。図６に示すように、前記固定側施肥部１３１に設けたエアタンク支持体１５１の外側面に、側面視「コ」字状の固定側枢支連結片１７５を外側前方へ向けて突設する。
一方、前記可動側施肥部１３３に設けた内側のエアタンク支持体１６２の内側面に、先端二又状の可動側枢支連結片１７６を外側前方へ向けて突設している。該可動側枢支連結片１７６の先端部を固定側枢支連結片１７５の先端部に、上下方向に軸芯を向ける枢支ピン１７７により枢支し、固定側施肥部１３１の左右端部に可動側施肥部１３３・１３３を連結している。
【００２０】
また、前記施肥ユニット１３６について、固定側施肥部１３１に設けた施肥ユニット１３６を用いて説明する。
図１１に示すように、前記第２、第３横フレーム１４０・１４１に繰出し体１４２を取付け、該繰出し体１４２の上端に施肥ホッパ１４３を連通連設する。一方、前記繰出し体１４２の下方に三又連結体１４４に形成した上部連結口１４４ａ（施肥装置側端部）を連結パッキンを介して着脱自在に連結し、三又連結体１４４に形成した後部連結口１４４ｃに施肥ホース１４６の基端部を連結している。
三又連結体１４４前部に嵌合口１４４ｂ（エア導入側端部）が形成され、該嵌合口１４４ｂに前記エアタンク１３７内に挿入した状態で保持されている導入管１５０が接合され、ブロワ１３４の駆動によってエアタンク１３７から該導入管１５０を介して三又連結体１４４内にエアが導入され、繰出し体１４２から繰り出された肥料等を施肥ホース１４６側に圧送する。
前記嵌合口１４４ｂの外周面にはフランジ部１４４ｄが形成され、後述する取付部材である取付ブラケット５２に螺合される。
【００２１】
そして、前記三又連結体１４４は、支持機枠１３０上に突設したステー１４７に取付部材である取付ブラケット１４８を介して着脱自在に取付けている。ステー１４７に形成した門型の挿通孔１４７ａ中に導入管１５０後部が嵌合される。該導入管１５０は、図１６、図１７に示すように、側面視略「く」字状に形成され、導入管１５０前部を後述した図５のエアタンク１３７に開口した連結孔１３７ａ内に挿入されている。
また、前記導入管１５０後部は、門型の前記挿通孔１４７ａの形状に合わせたガイド枠１５０ａを形成し、三又連結体１４４前部の嵌合口１４４ｂを下方よりガイドし、導入管１５０と連結孔１３７ａとを連結し易くしている。
【００２２】
また、６条分の前記固定側施肥部１３１には、６個の三又連結体１４４・１４４・・・が配置され、可動側施肥部１３３・３３には各２個の三又連結体１４４・１４４が配置されている。左右隣接する２個の三又連結体１４４・１４４を、図１３に示すように、同一の取付ブラケット１４８を介してステー１４７に着脱自在に取付けている。
該取付ブラケット１４８は、図１２、図１３に示すように、平面視「コ」字状に形成し、閉塞面に図示せぬ孔を開口し、三又連結体１４４前部の嵌合口１４４ｂを挿入すると共に、フランジ部１４４ｄ前面を取付ブラケット１４８閉塞面に当接し、ボルト１４９を用いて取付ブラケット１４８とフランジ部１４４ｄとを螺合している。
前記取付ブラケット１４８の左右側面の外側には、取付具１５５・１５５を固設している。該取付具１５５を図１２中の後方斜下方に傾斜状に配し取付け方向を斜めにしている。
更に、前記取付ブラケット１４８の閉塞面の左右中央位置に挿入ボルト１５７が配設され、該挿入ボルト１５７頭部を取付ブラケット１４８の前面より一定の間隔を開けた前方に位置されている。
【００２３】
一方、前記ステー１４７には、図１３、図１４に示すように、門型の挿通孔１４７ａを開口し、該挿通孔１４７ａの左右側方に上下方向に長径を有するボルトガイド用の長孔１４７ｂ・１４７ｂを開口し、取付ブラケット１４８の取付け時に長孔１４７ｂ・１４７ｂ内にボルト１４９・１４９が挿入される。
更に、前記ステー１４７の左右二個の挿通孔１４７ａの間位置には、挿入ガイド孔１４７ｃが開口されている。該挿入ガイド孔１４７ｃは、上下に長い溝と該溝に下部に前記挿入ボルト１５７が挿入される大径の孔を開口している。
更に、ステー１４７の後面には、前記取付ブラケット１４８の取付け位置に合わせて、係止片１５６・１５６を固設し、該係止片１５６を後方斜下方に突設し前記取付具１５５が係止される。
【００２４】
このように構成し、前記取付ブラケット１４８には、フランジ部１４４ｄを用いて二個の三又連結体１４４・１４４が螺合され、該取付ブラケット１４８はメンテナンス若しくは収納時以外は、ステー１４７の後面に取付けられている。
そして、該取付ブラケット１４８をステー１４７に取り付けるには、先ず、取付ブラケット１４８中央の挿入ボルト１５７を、ステー１４７の挿入ガイド孔１４７ｃの大径の孔に挿入し、ステー１４７に対する取付ブラケット１４８の左右中心位置を合わせている。
そして、挿入ボルト１５７を挿入ガイド孔１４７ｃの大径の孔に挿入し、取付ブラケット１４８前面とステー１４７後面とを当接する。
このとき、取付ブラケット１４８は、通常の配設位置より下方にあり、前記三又連結体１４４前部の嵌合口１４４ｂが導入管１５０後部のガイド枠１５０ａ下部に位置し、また、三又連結体１４４を螺合したボルト１４９が長孔１４７ｂの下部に挿入される。
【００２５】
そして、前記取付ブラケット１４８をステー１４７後面に当接させながら上方に移動させると、挿入ボルト１５７を螺合する軸が挿入ガイド孔１４７ｃ内にガイドされながら上端部まで移動し、各ボルト１４９が各長孔１４７ｂ内にガイドされながら上端部まで移動する。同様に、前記三又連結体１４４前部がガイド枠１５０ａにガイドされながら上方に移動し、前記嵌合口１４４ｂと導入管１５０とが連通状態となる。
そして、この位置で、前記取付具１５５を係止片１５６に係止することで、嵌合口１４４ｂと導入管１５０とが連通された状態に保持される。また、前記取付具１５５を係止片１５６との係止する方向を後方斜下方に傾斜状に配したことで、上下方向の振動を受けることができ、取付ブラケット１４８が安定して保持される。
【００２６】
そして、前記可動側施肥部１３３のエアタンク１６１の後方にステー１４７が配置され、二個の三又連結体１４４・１４４を配した取付ブラケット１４８が前述した取付け構成によって、ステー１４７の後面に取付けられている。
【００２７】
次に、前述した分割側の植付ケース２０前部に配設した本発明の係合部材としてのホース収納支持ステー２００について説明する。
図７〜図９に示すように、前記ホース収納支持ステー２００下部に、前方斜上方に傾斜状の固定板２０１・２０１を左右に二枚配置し、該固定板２０１・２０１の前後途中部より上方に支持板２０２・２０２を突設している。
また、前記固定板２０１上端後部に傾斜面を形成し、左右の固定板２０１上端の傾斜面に支持板２０３を横設している。該支持板２０３の左右端部の前面に平面視Ｃ型のホースガイド２０４・２０４を固設し、Ｃ型のホースガイド２０４の開放面が前方に向けられている。前記ホースガイド２０４内に施肥ホース１４６途中部が嵌合される。
【００２８】
そして、前記固定板２０１・２０１を、使用位置に配した分割側の植付ケース２０前部に固定すると、図７に示すように、支持板２０２・２０２が分割苗載台１６ｂ背面と平行状に立設され、ホースガイド２０４にガイドされる施肥ホース１４６を苗載台１６ｂ背面に沿わし、施肥ホース１４６下端を作溝体８８に案内している。
【００２９】
また、前記支持板２０２・２０２の上下中央部に収納支持体２０５を固設している。該収納支持体２０５は側面視略Ｌ型に形成し、支持板２０２と垂直前方に下面部２０５ａ、支持板２０２と平行状に後面部２０５ｂと、該後面部２０５ｂ左右両端部を前方に折り返した側面部２０５ｃ・２０５ｃとを形成している。該２０５ｃ・２０５ｃの前部には、支持板２０２に対して前上方に傾斜状にフック２０５ｄを形成している。また、前記側面部２０５ｃ・２０５ｃの間隔は前記取付ブラケット１４８の左右幅に略一致させている。
【００３０】
そして、この収納支持体２０５に前記可動側施肥部１３３に配した取付ブラケット１４８を支持するように構成している。該取付ブラケット１４８の左右の取付具１５５を係止片１５６より外し、取付ブラケット１４８に配した二個の三又連結体１４４・１４４を施肥ユニット１３６から取り外す。
そして、該取付ブラケット１４８と施肥ホース１４６・１４６を連結した状態の三又連結体１４４・１４４とを植付部１５側に持って行き、取付ブラケット１４８の上下向きを反転させて、ホース収納支持ステー２００の収納支持体２０５に取付ける。
【００３１】
即ち、図７に示すように、取付ブラケット１４８の上下向きを反転し、収納支持体２０５の後面部２０５ｂと側面部２０５ｃ・２０５ｃとで形成する空間内に、「コ」字状に形成した取付ブラケット１４８の左右側面を側面部２０５ｃ・２０５ｃとの間に配置する。
そして、前記取付ブラケット１４８側の取付具１５５を収納支持体２０５側のフック２０５ｄに係止することで、取付ブラケット１４８が収納支持体２０５に収納される。この時、前記取付ブラケット１４８の上下向きが反転されており、三又連結体１４４の上部連結口１４４ａが下方向きとなり、上部連結口１４４ａの開口面を下面部２０５ａに当接し、嵌合口１４４ｂの開口面が後面部２０５ｂに当接されるので、三又連結体１４４・１４４及び施肥ホース１４６・１４６内に密封した状態で保持される。
【００３２】
そして、この可動側施肥部１３３の施肥ホース１４６・１４６を、収納支持体２０５を用いて分割側の植付ケース２０に収納した状態とすることで、図１０に示すように、施肥ホース１４６・１４６が干渉されることなく分割側の植付ケース２０を後上方に回動できる。
【００３３】
【発明の効果】
本発明は以上の如く構成したので、次のような効果を奏するのである。
請求項１に記載するように、走行車に配置した運転席の後方位置に左右方向へ伸延する多条用の施肥装置を配設し、走行車後方に多条用の植付部を配置した乗用田植機において、前記植付部の左右両側の数条を分割して収納可能とし、前記施肥装置の左右両側の数条を分割し、回動して収納可能とし、植付部に肥料を搬送する施肥ホース１４６の一方を、取付ブラケット１４８によって着脱自在に施肥装置に係合し、該施肥ホース１４６の他端を植付部に配すると共に、分割側の植付部の前部にホース収納支持ステー２００を設け、該ホース収納支持ステー２００により、使用位置に配置した施肥ホース１４６を案内し、前記分割側の施肥ホースの基端側を支持する取付ブラケット１４８を取り外した場合には、該取付ブラケット１４８を前記ホース収納支持ステー２００を設けた収納支持体２０５に係止させることによって、分割側の施肥装置と植付部の収納時に数本の施肥ホースを連結した状態で分割側の取付部材を係合部材に係合することができる。よって、分割側の施肥ホースの一端のみを取り外すことで、分割側の植付部に収納することができ、施肥ホースの取付け、取り外し作業が容易である。
また、外した施肥ホースを分割側の植付部に配した係合部材に保持しており、施肥ホースを完全に取り外して保管する必要がなく、さらに施肥ホースを固定側苗載台等の他の部材に干渉されることなく分割側の植付部を収納位置に回動することができる。
【００３４】
また、請求項２記載の如く、前記ホース収納支持ステー２００に平面視Ｃ型のホースガイド２０４を設け、施肥ホース１４６の途中部をガイドすることによって、施肥ホースを途中部を支持する固定具を係合部材に兼用させることができ、部品点数を減少させ、組み立て作業を少なくし、生産コストを抑えることができる。
【００３５】
また、請求項３記載の如く、前記収納支持体２０５は側面視略Ｌ型に形成し、該収納支持体２０５で取付部材に固定した施肥ホース１４６の施肥装置側端部を密封した状態で保持することによって、施肥ホースが密封した状態で保持され、肥料の詰まりの原因となる雨等の水分や塵等の異物がホース内部に侵入することがなく、施肥ホース内を乾いた状態で維持することができる。
特に、前記施肥ホースの施肥装置側端部を上方に形成している場合には、該施肥ホースを上下反転させた状態にした後に支持体に係合させることで、施肥装置側端部を側面視略Ｌ型の前記支持体の底面で被装でき、施肥ホース内が密封される。
【００３６】
また、請求項４記載の如く、前記収納支持体２０５は側面視略Ｌ型に形成し、該収納支持体２０５で取付部材に固定した施肥ホース１４６の搬送エアのエア導入側端部を下方向きとし、密封した状態で保持することによって、施肥ホースが密封した状態で保持され、肥料の詰まりの原因となる雨等の水分や塵等の異物がホース内部に侵入することがなく、施肥ホース内を乾いた状態で維持することができる。
【図面の簡単な説明】
【図１】苗載台の折畳み機構を備えた田植機の全体側面図である。
【図２】同じく平面図である。
【図３】植付ケース及びフロート等の折畳み状態を示す図である。
【図４】施肥装置の後面図である。
【図５】施肥装置の支持枠体を示す平面図である。
【図６】収納状態とした施肥装置の左右片側の平面図部分断面図である。
【図７】本発明のホース収納支持ステーを配した分割側の植付ケースの側面図である。
【図８】ホース収納支持ステーの側面図である。
【図９】同じく正面図である。
【図１０】施肥ホースを収納した分割側の植付ケースを後方に折り畳んだ状態の側面図である。
【図１１】施肥ユニットの側面断面図である。
【図１２】施肥ホースのエアタンクへの取付け構成を示す側面図一部断面図である。
【図１３】同じく斜視図である。
【図１４】ステーの後面図である。
【図１５】エアタンクに施肥ホースを取り付けた状態を示す側面図である。
【図１６】導入口の側面断面図である。
【図１７】導入口の後面図である。
【符号の説明】
１  走行車
８  後輪
１５  植付部
１６  苗載台
２０  植付ケース
３６  施肥装置
１４６  施肥ホース
１４８  取付ブラケット（取付部材）
２００  ホース収納支持ステー（係合部材）
２０４  ホースガイド
２０５  収納支持体
【図１】
0003628502.tif 000002
【図２】
0003628502.tif 000003
【図３】
0003628502.tif 000004
【図４】
0003628502.tif 000005
【図５】
0003628502.tif 000006
【図６】
0003628502.tif 000007
【図７】
0003628502.tif 000008
【図８】
0003628502.tif 000009
【図９】
0003628502.tif 000010
【図１０】
0003628502.tif 000011
【図１１】
0003628502.tif 000012
【図１２】
0003628502.tif 000013
【図１３】
0003628502.tif 000014
【図１４】
0003628502.tif 000015
【図１５】
0003628502.tif 000016
【図１６】
0003628502.tif 000017
【図１７】
0003628502.tif 000018